(57)【特許請求の範囲】
【請求項１】
稜部罫線(1)を介して立面板(2)と平面板(3)とを連設し、立面板(2)に、その両端間に亘る開封用の引裂帯(7)を設け、引裂帯(7)は、周期的に湾曲した２本の波状切目線(7a)により形成し、各切目線(7a)は、段ボールの表裏に貫通する全切部(7b)と、段ボールが裏側から厚さ方向の途中まで切り込まれた半切部(7c)とが断続するリード線とし、立面板(2)と平面板(3)とを稜部罫線(1)沿いに折り曲げて製箱し、引裂帯(7)による引裂きに伴いトレー状態とする引裂帯付き段ボール箱において、
前記引裂帯(7)を形成する２本の波状切目線(7a)のうち、少なくとも下方の切目線(7a)には、基本波形の谷部に対向する稜部罫線(1)から離れるように膨出する膨出部(7e)を設けたことを特徴とする段ボール箱。
【請求項２】
請求項１に記載の段ボール箱において、前記引裂帯(7)を形成する波状切目線(7a)の振幅中心線を、立面板(2)の中央側が高くなるように、立面板(2)と平面板(3)との境界の稜部罫線(1)に対して傾斜させたことを特徴とする段ボール箱。
【請求項３】
稜部罫線(1)を介して立面板(2)と平面板(3)とを連設し、立面板(2)に、その両端間に亘る開封用の引裂帯(7)を設け、引裂帯(7)は、周期的に湾曲した２本の波状切目線(7a)により形成し、各切目線(7a)は、段ボールの表裏に貫通する全切部(7b)と、段ボールが裏側から厚さ方向の途中まで切り込まれた半切部(7c)とが断続するリード線とし、引裂帯(7)を形成する２本の波状切目線(7a)のうち、少なくとも下方の切目線(7a)は、基本波形の谷部に対向する稜部罫線(1)から離れるように膨出する膨出部(7e)を設けた形状とし、立面板(2)と平面板(3)とを稜部罫線(1)沿いに折り曲げて製箱し、引裂帯(7)による引裂きに伴いトレー状態とする引裂帯付き段ボール箱を製造するダイカッタ用の抜型であって、
前記稜部罫線(1)を入れる押圧部材(10)と共に、引裂帯(7)の波状切目線(7a)を入れる高刃部(11a)と低刃部(11b)とを備えた波状のリード刃(11)を設け、このリード刃(11)には、波状切目線(7a)の膨出部(7e)を形成するため、対向する押圧部材(10)から離れるように湾曲する湾出部(11d)を設けたことを特徴とする段ボール箱の抜型。
【請求項４】
請求項３に記載の段ボール箱の抜型において、引裂帯(7)を形成する波状切目線(7a)の振幅中心線を、立面板(2)の中央側が高くなるように、立面板(2)と平面板(3)との境界の稜部罫線(1)に対して傾斜させるため、押圧部材(10)に対してリード刃(11)の振幅中心線を傾斜させたことを特徴とする段ボール箱の抜型。
【発明の詳細な説明】
【技術分野】
【０００１】
この発明は、開封用引裂帯を有する段ボール箱及びその抜型に関するものである。
【背景技術】
【０００２】
従来、下記特許文献１には、図９に示すように、二組の各上下一対の稜部罫線５１を介して連設した各一対のそれぞれ対向する立面板５２とそれぞれ対向する平面板５３とを稜部罫線５１で折り曲げ、集積した飲料缶Ｃを包み込んで、継代片５４での接合により周壁を形成し、立面板５２及び平面板５３からそれぞれ延びる端板５５，５６を貼り合わせて封緘するラップラウンド式段ボール箱が記載されている。
【０００３】
各立面板５２には、横断方向に延びる開封用引裂帯５７と、開封時の引っ張りに際して摘むための中央部に位置する切始部５８とが設けられている。引裂帯５７は、周期的に湾曲した２本の波状切目線５７ａにより形成され、切始部５８は変形Ｈ字状の全切線５８ａにより形成されている。
【０００４】
各切目線５７ａは、段ボールの表裏に貫通する全切部５７ｂと、段ボールが裏側から厚さ方向の途中まで切り込まれた半切部５７ｃとが交互に断続し、繋部５７ｄが点在するリード線とされ、その振幅中心線は、稜部罫線５１に対して平行となっている。
【０００５】
引裂帯５７をこのように構成したのは、ケーサーでの製箱に際して、段ボールが所定の折曲部となる稜部罫線５１ではなく、引裂帯５７の切目線５７ａで内側へ折れ曲がる現象を防止して、製箱不良の発生を抑制するためである。また、包装状態で複数個の段ボール箱を積み上げたとき、立面板５２に胴膨れが生じる現象を防止するためでもある。
【０００６】
なお、立面板５２には、段ボールの表側から押圧して裏側へ膨出させることにより、稜部罫線５１と直交する段目方向のリブ５９が複数本間隔をあけて平行に入れられ、これにより、胴膨れ防止効果を向上させている。
【０００７】
この段ボール箱を、例えば店頭での陳列時に開封する際には、切始部５８を押し込んで摘み、引裂帯５７を引っ張って立面板５２及びこれに連設されている端板５５を切目線５７ａで切断し、図１０に示すように、段ボール箱の上部を除去して、トレーとなった段ボール箱から缶Ｃを露出させることにより、陳列効果を高めると共に、缶Ｃを容易に取り出せるようにする。
【先行技術文献】
【特許文献】
【０００８】
【特許文献１】特開２００８−２８００８８号公報
【発明の概要】
【発明が解決しようとする課題】
【０００９】
しかしながら、上記のような段ボール箱では、材料として比較的強度の弱いものを使用した場合、図１０に示すように、トレーとして多数本の缶Ｃの荷重が作用した状態で、長手方向の両端部の底面に手を掛けて持ち上げると、立面板５２の上端縁となった切目線５７ａの谷部、すなわち下側に対向する稜部罫線５１からの段ボールの残存高さが小さい部分から屈曲線Ｙが入って、トレーとしての強度が損なわれることがあった。
【００１０】
また、段ボール箱を積み上げて輸送・保管する際、胴膨れを防止する効果が十分に得られず、陳列時の美観が損なわれるおそれもあった。
【００１１】
そこで、この発明は、トレーとした状態での強度を確保すると共に、包装状態での胴膨れを防止する効果を向上させることを課題とする。
【課題を解決するための手段】
【００１２】
上記課題を解決するため、この発明は、稜部罫線を介して立面板と平面板とを連設し、立面板に、その両端間に亘る開封用の引裂帯を設け、引裂帯は、周期的に湾曲した２本の波状切目線により形成し、各切目線は、段ボールの表裏に貫通する全切部と、段ボールが裏側から厚さ方向の途中まで切り込まれた半切部とが断続するリード線とし、立面板と平面板とを稜部罫線沿いに折り曲げて製箱し、引裂帯による引裂きに伴いトレー状態とする引裂帯付き段ボール箱において、前記引裂帯を形成する２本の波状切目線のうち、少なくとも下方の切目線には、基本波形の谷部に対向する稜部罫線から離れるように膨出する膨出部を設けたのである。
【００１３】
また、前記引裂帯を形成する波状切目線の振幅中心線を、立面板の中央側が高くなるように、立面板と平面板との境界の稜部罫線に対して傾斜させたのである。
【００１４】
そして、この段ボール箱を製造するダイカッタ用の抜型において、前記稜部罫線を入れる押圧部材と共に、引裂帯の波状切目線を入れる高刃部と低刃部とを備えた波状のリード刃を設け、このリード刃には、波状切目線の膨出部を形成するため、対向する押圧部材から離れるように湾曲する湾出部を設けたのである。
【００１５】
また、前記引裂帯を形成する波状切目線の振幅中心線を、立面板の中央側が高くなるように、立面板と平面板との境界の稜部罫線に対して傾斜させるため、押圧部材に対してリード刃の振幅中心線を傾斜させたのである。
【発明の効果】
【００１６】
このような抜型で製造した段ボール箱では、引裂帯により段ボールを切断して上部を除去し、トレーとして商品の荷重が作用した状態で、両端部の底面に手を掛けて持ち上げても、立面板の上端縁となる切目線の谷部に膨出部が存在し、この膨出部が荷重によるモーメントに抗して段ボールの屈曲を阻止するので、強度が確保される。
【００１７】
また、波状切目線の振幅中心線の傾斜により、トレー状態で中央側が高くなった立面板が荷重によるモーメントに抗して、強度が増大し、包装状態での積上荷重による座屈も生じにくくなり、胴膨れ防止効果も向上する。
【図面の簡単な説明】
【００１８】
【図１】この発明の実施形態に係る段ボール箱による商品包装状態を示す斜視図
【図２】同上のトレーとした状態を示す斜視図
【図３】同上の段ボール箱のブランクを示す表面図
【図４】同上の製箱状態での立面板における引裂帯の拡大図
【図５】図４のＡ部拡大図
【図６】同上の段ボール箱の抜型の要部を示す斜視図
【図７】同上のリード刃と切込の対応を示す拡大斜視図
【図８】同上のリード刃による切込状態を示す概略断面図
【図９】従来の段ボール箱による商品包装状態を示す斜視図
【図１０】同上のトレーとした状態を示す斜視図
【発明を実施するための形態】
【００１９】
以下、この発明の実施形態を添付図面に基づいて説明する。
【００２０】
図１に示す段ボール箱は、２４本の飲料缶Ｃを６本ずつ４列に並べて包装するラップラウンドケースであり、店頭での陳列に際しては、図２に示すように、箱上部を除去することによりトレー状態として、缶Ｃを露出させ、陳列効果を高めると共に、缶Ｃを容易に取り出せるようにするものである。
【００２１】
図３に示すように、この段ボール箱のブランクでは、稜部罫線１を介して各一対の立面板２及び平面板３が交互に連設され、一方の立面板２に稜部罫線１を介して継代片４が連設されている。平面板３の四隅は、斜めに切断されている。
【００２２】
立面板２及び平面板３の両端には端板５，６がそれぞれ連設され、立面板２と端板５との間には、面取板５ａが介設されている。
【００２３】
立面板２には、稜部罫線１に並行する方向へ延びる開封用の引裂帯７がその両端間に亘って設けられ、引裂帯７は、さらに面取板５ａを経て、端板５の端縁まで達している。立面板２の中央部には、開封時に引裂帯７の端部を摘む切始部８が設けられている。
【００２４】
立面板２における引裂帯７は、缶Ｃの直径に対応するように周期的に湾曲して略対称な形状となった２本の波状切目線７ａにより形成されている。また、図４に示すように、切目線７ａの振幅中心線Ｓは、立面板２の中央側（引裂帯７の切始部８側）が高くなるように、稜部罫線１に対して僅かに傾斜している。
【００２５】
各切目線７ａは、段ボールの表裏に貫通する全切部７ｂと、段ボールが裏側から厚さ方向の途中まで切り込まれた半切部７ｃとが断続し、切り込みのない繋部７ｄが点在するリード線とされている。
【００２６】
また、製箱状態で図４及び図５に示すように、切目線７ａは、一点鎖線で示す基本波形を変形させた形状とされている。この基本波形は、正弦波状に周期的に湾曲する形状であり、上下２本の切目線７ａの基本波形とも、それぞれ上側又は下側に対向する稜部罫線１に近い頂部が谷部となり、遠い頂部が山部となる。
【００２７】
この基本波形の各谷部には、対向する稜部罫線１から離れて膨出するような膨出部７ｅが設けられ、同様に、各山部には、対向する稜部罫線１に近づいて没入するような没入部７ｆが設けられている。また、上下２本の切目線７ａは、略対称な形状となっている。
【００２８】
ここで、切目線７ａの基本波形の隣接する谷部の頂部間の振幅中心線Ｓが延びる方向への間隔である波長は、４０ｍｍ〜８０ｍｍとし、缶Ｃの直径に合わせておくことが望ましい。また、基本波形の谷部と山部の頂部間の高さの差である波高は、５ｍｍ〜２５ｍｍとし、膨出部７ｅ及び没入部７ｆの高さは、これより小さくするのがよい。
【００２９】
また、図４に示すように、切始部８は、段ボールの表裏に貫通する全切の切目８ａを変形Ｈ字状に入れることにより形成され、切目８ａの下方の横線部は、切目線７ａの基本波形に対応するように湾曲している。
【００３０】
そのほか、図３に示すように、継代片４の反対側の平面板３には、縦置き状態での開封用の切目線３ａと、平面板３を折り曲げて開口部を広げるための２本の折目線３ｂ、３ｃとが入れられている。
【００３１】
このような段ボール箱を製造するダイカッタ用の抜型Ｄには、図６に示すように、立面板２と平面板３の稜部罫線１を入れる直線帯状の押圧部材１０と共に、引裂帯７の波状切目線７ａを入れる波状のリード刃１１が設けられ、これに続いて、切始部８の切目８ａを入れる全切刃１２が設けられている。
【００３２】
リード刃１１には、切目線７ａの膨出部７ｅを形成するため、対向する押圧部材１０から離れるように湾曲する湾出部１１ｄが設けられ、切目線７ａの没入部７ｆを形成するため、対向する押圧部材１０に近づくように湾曲する湾入部１１ｅが設けられている。
【００３３】
また、リード刃１１は、ブランクを段ボール箱に組み立てた状態において、切目線７ａの振幅中心線を立面板２の中央側が高くなるように稜部罫線１に対して傾斜させるため、押圧部材１０に対して振幅中心線が傾斜している。
【００３４】
そして、リード刃１１には、図７に示すように、その刃先部分において、高刃部１１ａと低刃部１１ｂとが交互に形成され、高刃部１１ａと低刃部１１ｂの間及びそれぞれの内部に凹部１１ｃが設けられている。
【００３５】
このような抜型でブランクの段ボールＢを打ち抜く際、図７及び図８に示すように、リード刃１１では、高刃部１１ａがスポンジ等の支持材１３で支持された段ボールＢを裏側から表側へ貫通し、低刃部１１ｂが段ボールＢを裏側から厚さ方向の途中まで切り込み、切目線７ａの全切部７ｂと半切部７ｃとが入れられる。
【００３６】
また、凹部１１ｃは、段ボールＢを切り込むことがなく、全切部７ｂと半切部７ｃの間に切り込みのない繋部７ｄが設けられ、これにより、切目線７ａにおける段ボールＢの座屈強度の低下が防止される。
【００３７】
ここで、上記のように波状切目線７ａを入れる抜型は、平板ダイカッタ用としてだけでなく、ロータリーダイカッタ用に製作することもできる。
【００３８】
上記のように打ち抜いたブランクを組み立てて、図１に示すように、缶Ｃを包装する際には、ラップラウンドケーサーを用いて、稜部罫線１に沿って各一対の立面板２及び平面板３をそれぞれ対向するように折り曲げ、集積した缶Ｃを包み込んで、継代片４と一方の平面板３との接合により周壁を形成し、箱の四隅で面取板５ａを斜めに折り曲げ、端面で端板５，６を貼り合わせて封緘する。
【００３９】
この製箱に際して、上記段ボール箱では、引裂帯７の切目線７ａを波状とし、全切部７ｂ間に亘る半切部７ｃを段ボールの裏側から入れていることから、切目線７ａはヒンジとして作用せず、段ボールが切目線７ａで内側へ折れ曲がることなく、立面板２と平面板３の稜部罫線１に沿って正確に折れ曲がるので、製箱不良の発生を防止することができる。
【００４０】
また、上記ブランクの製造時には、引裂帯７の切目線７ａと切始部８の切目８ａとを同一の抜型で入れることから、これらの位置関係がずれることがなく、従来のコルゲータでのライナカット後にダイカッタで切目８ａを入れる製造方法に比べて、不良率を大幅に低下させることができる。
【００４１】
そして、開封に際し、引裂帯７を切始部８から引っ張ると、切目線７ａから逸れることなく段ボールが切断され、引裂帯７が千切れて開封不能となることがなく、容易に開封することができ、図２に示すように、トレー状態とすることができる。
【００４２】
上記のような段ボール箱では、トレーとして多数本の缶Ｃの荷重が作用した状態で、両端部の底面に手を掛けて持ち上げても、立面板２の上端縁となる切目線７ａの谷部に膨出部７ｅが形成されて、下側に対向する稜部罫線１からの段ボールの残存高さが大きくなるので、荷重によるモーメントへの対抗力が増大して、立面板２及び底面の平面板３における段ボールの屈曲が阻止され、強度が確保されるという効果が得られる。
【００４３】
この効果は、上記実施形態のように、切目線７ａの振幅中心線を立面板２の中央側が高くなるように傾斜させると、さらに向上する。
【００４４】
一方、物流過程において、缶Ｃを包装した状態で複数個の段ボール箱を積み上げる際、下段側の段ボール箱には、上段側の段ボール箱の荷重が作用するが、引裂帯７が波状切目線７ａにより形成され、また、上下２本の波状切目線７ａの谷部にそれぞれ膨出部７ｅが設けられているので、上述の製箱時と同様、立面板２の折れ曲がりが抑制され、胴膨れが防止されるという効果が得られる。
【００４５】
この効果は、上記実施形態のように、切目線７ａの振幅中心線を立面板２の中央側が高くなるように傾斜させると、さらに向上する。
【００４６】
なお、上記のように、トレー状態での強度を向上させる効果は、下方の切目線７ａのみに谷部の膨出部７ｅを設けるようにしても得ることができ、切目線７ａの振幅中心線を稜部罫線１に平行となるように設定しても、ある程度得ることができる。また、包装状態で胴膨れを防止する効果も、このような条件下である程度得ることができる。
【００４７】
ところで、上記各実施形態では、稜部に面取板５ａを有する段ボール箱を例示したが、稜部が直角となった直方体状の段ボール箱においても、同様の構成を適用できる。
【００４８】
また、ラップラウンド式の段ボール箱を例示したが、隣接する立面板の上下から延びる平面板を重ね合わせて封緘する溝切型段ボール箱においても、立面板に上記と同様の引裂帯を入れると、同様の効果を得ることができる。
【符号の説明】
【００４９】
１  稜部罫線
２  立面板
３  平面板
３ａ  切目線
３ｂ，３ｃ  折目線
４  継代片
５，６  端板
５ａ  面取板
７  引裂帯
７ａ  切目線
７ｂ  全切部
７ｃ  半切部
７ｄ  繋部
７ｅ  膨出部
７ｆ  没入部
８  切始部
８ａ  切目
１０  押圧部材
１１  リード刃
１１ａ  高刃部
１１ｂ  低刃部
１１ｃ  凹部
１１ｄ  湾出部
１１ｅ  湾入部
１２  全切刃
１３  支持材
Ｂ  段ボール
Ｃ  缶
Ｄ  抜型
Ｓ  振幅中心線
【図１】
0005501211.tif 000002
【図２】
0005501211.tif 000003
【図３】
0005501211.tif 000004
【図４】
0005501211.tif 000005
【図５】
0005501211.tif 000006
【図６】
0005501211.tif 000007
【図７】
0005501211.tif 000008
【図８】
0005501211.tif 000009
【図９】
0005501211.tif 000010
【図１０】
0005501211.tif 000011